(57)【要約】      （修正有）【課題】まず始めに、内容器の口部から容器キャップを取外した後に、直ちにポンプ取付キャップによりポンプを内容器口部に取付け、該ポンプ取付キャップを利用して、ポンプ付替え用の内容器に外容器を簡単に装着できるようにしたポンプ付替え容器を提供すること。【解決手段】ポンプ付替え容器として、容器口部に取付キャップを用いてポンプを取着した薄肉の内容器と、該内容器に装着する外容器Ｃとからなるポンプ付替え容器であって、外容器Ｃは、中央に嵌挿口１７を設けた頂壁１５と、胴壁１６とからなり、嵌挿口１７の周縁には、二つの半円弧部からなる突出リング１９ａ、１９ｂが配設されており、一方の半円弧部の両端部から、頂壁１５を通り胴壁上方の所定の位置までスリット２０ａ、２０ｂが穿設され、一方の突出リング１９ｂとスリット２０ｂによって囲まれた壁面からなる開閉蓋２４が形成されていることを特徴とする。【選択図】図２
2006206096.tif 000002
【特許請求の範囲】
【請求項１】
容器口部に取付キャップを用いてポンプを取着した薄肉の内容器と、該内容器に装着する外容器とからなるポンプ付替え容器であって、
外容器は、中央に嵌挿口を設けた頂壁と、胴壁とからなり、
嵌挿口の周縁には、二つの半円弧部からなる突出リングが配設されており、
一方の半円弧部の両端部から、頂壁を通り胴壁上方の所定の位置までスリットが穿設され、一方の突出リングとスリットによって囲まれた壁面からなる開閉蓋が形成されていることを特徴とするポンプ付替え容器。
【請求項２】
外容器の形状を、ほぼ長方形とし、複数の嵌挿口と開閉蓋を並設したことを特徴とする請求項１記載のポンプ付替え容器。
【発明の詳細な説明】
【技術分野】
【０００１】
本発明は、容器口部にポンプを取着した内容器と、該内容器に装着する外容器とからなるポンプ付替え容器に関するものである。
【背景技術】
【０００２】
シャンプー、リンス、ボディソープ等を収納し、ポンプを取着した内容器と、該内容器に装着する外容器とからなるポンプ付替え容器は、従来より知られている（例えば、特許文献１、２参照）。
【０００３】
特許文献１記載のポンプ付替え容器では、ポンプの付替えにあたって、内容器の容器キャップを取外した後に、ポンプ取付キャップで内容器の口部に設けたフランジと外容器に設けた係合部とを挟持するようにしてポンプを内容器口部に取付けている。
【０００４】
特許文献２記載のポンプ付替え容器では、ポンプの付替えにあたって、内容器に外容器を装着した後に内容器の容器キャップを取外し、ポンプ取付キャップで、内容器に設けたフランジと外容器の頂壁とを締め付け、ポンプを内容器口部に取付けている。
【特許文献１】特開２００３−１２０６７号公報
【特許文献２】特開２００３−４０３０４号公報
【発明の開示】
【発明が解決しようとする課題】
【０００５】
しかしながら、上記特許文献１記載の従来技術では、ポンプの付替え時には、内容器の容器キャップを取り外した状態で、内容器口部を外容器の挿通口に挿入し、ポンプ取付キャップを締着しなければならず、その間に注意して作業しなければ誤って容器を倒すこともあるので、付替え作業が簡単にできないという問題があった。
【０００６】
特許文献２記載の従来技術では、容器キャップの取外しと、ポンプ取付キャップによるポンプ取付け時に、内容器の廻動を阻止するための部材が必要であるので、構造が複雑になり、生産コストが高くなるという問題があった。
【０００７】
本発明は、上記の事情を考慮して、まず始めに、内容器の口部から容器キャップを取外した後に、直ちにポンプ取付キャップによりポンプを内容器口部に取付け、該ポンプ取付キャップを利用して、ポンプ付替え用の内容器に外容器を簡単に装着できるようにしたポンプ付替え容器を提供することを目的とする。
【課題を解決するための手段】
【０００８】
本発明は、上記の課題を解決するため、ポンプ付替え容器として、容器口部に取付キャップを用いてポンプを取着した薄肉の内容器と、該内容器に装着する外容器とからなるポンプ付替え容器であって、外容器は、中央に嵌挿口を設けた頂壁と、胴壁とからなり、嵌挿口の周縁には、二つの半円弧部からなる突出リングが配設されており、一方の半円弧部の両端部から、頂壁を通り胴壁上方の所定の位置までスリットが穿設され、一方の突出リングとスリットによって囲まれた壁面からなる開閉蓋が形成されていることを特徴とする構成を採用する。
【０００９】
付替え容器の別実施例として、外容器の形状を、ほぼ長方形とし、複数の嵌挿口と開閉蓋を並設したことを特徴とする構成を採用する。
【発明の効果】
【００１０】
外容器の頂壁に嵌挿口を設け、嵌挿口の周縁に、二つの半円弧部からなる突出リングを設けるとともに、一方の突出リングと頂壁、垂直壁とからなる開閉蓋を設けたことによって、開閉蓋の開蓋時に、ポンプ取付キャップを取着した内容器を嵌挿して上方に引上げ、次いで、開閉蓋を閉じ、突出リングをポンプ取付キャップ内周の係合面に嵌挿することによって内容器を外容器に装着できる。
したがって、内容器と外容器との装着が、開閉蓋の開閉操作により簡単にできるようになり、ポンプ付替え作業が容易にできるようになった。
【００１１】
また、外容器によって補強されているので、内容器は口部以外を薄肉化することができ、外容器とポンプは反復使用可能であるので、省資源、廃棄物の減容にも役立てることができる。
【発明を実施するための最良の形態】
【００１２】
次に、本発明のポンプ付替え容器について、実施例をあげ、図面を参照して説明する。
【実施例１】
【００１３】
図１において、ＡはポンプＢを取着したポンプ付替え用の内容器、Ｃは内容器Ａを装着された外容器である。
内容器Ａと外容器Ｃによって、本発明のポンプ付替え容器が構成されている。
【００１４】
内容器Ａは、口部１と肩部２、胴部３と底部４とからなり、口部１外周には、ねじ５が螺設されており、口部１以外は、きわめて薄肉に成形されている。
内容物として、シャンプー、リンス、ボディソープ等の家庭用品、その他が収納されている。
【００１５】
ポンプＢは、上方に吐出ノズル６を装着したポンプ機構７と、吸上げパイプ８とを具えており、内周に容器口部１のねじ５に螺合するねじ９を螺設し、下端内周を係合面１０としたポンプ取付キャップ１１によって、容器口部１に取着されている。
【００１６】
図１、２に示すように、外容器Ｃは、横断面形状が、角部を円弧としたほぼ角形の形状とした頂壁１５と胴壁１６とからなり、頂壁１５の中央には、嵌挿口１７が穿孔されている。
嵌挿口１７の周縁には、左右二つの半円弧によって形成され、外側に段部１８が設けられた突出リング１９ａ、１９ｂが配設されている。
【００１７】
突出リング１９ａの前後端の外側から右方に延び、頂壁１５を切断するとともに、胴壁１６の一定の位置まで延びるスリット２０ａ、２０ｂが穿設されており、スリット２０ａ、２０ｂの端部を結んで薄肉部２１が形成されている。
スリット２０ａ、２０ｂと薄肉部２１に囲まれる頂壁１５と胴壁１６の部分によって、突出リング１９ａと頂壁２２、垂直壁２３とからなる開閉蓋２４が形成され、薄肉部２１はヒンジ２５となっている。
【００１８】
開閉蓋２４の頂壁２２が頂壁１５と面一となっているときには、突出リング１９ａ、１９ｂの両端部は接合して円形の嵌挿口１７が形成され、段部１８には、ポンプ取付キャップ１１の下端が載置され、突出リング１９ａ、１９ｂの外周は、ポンプ取付キャップ１１の係合面１０に当接するようになっている。
【００１９】
次に、本発明のポンプ付替え容器の内容器Ａと外容器Ｃの作用効果について説明する。
内容器Ａへのポンプ付替えにあたっては、内容器Ａの容器口部１を持って容器キャップを開き、直ちにポンプＢを装着したポンプ取付キャップ１１を容器口部１に取着する。
【００２０】
外容器Ｃの装着にあたっては、図３に示すように、ヒンジ２５を軸に開閉蓋２４を廻動させて、突出リング１９ａを具えた頂壁２２を開き、ポンプＢを取着した内容器Ａを下方より嵌挿口１７に挿入し、ポンプ取付キャップ１１を突出リング１９ｂより上方に位置させる。
【００２１】
次に、図４に示すように、ポンプ取付キャップ１１の中心を嵌挿口１７の中心線上方に位置させ、開閉蓋２４を元の位置に戻して突出リング１９ａ、１９ｂが円形になるよう接合させる。
【００２２】
次いで、ポンプ取付キャップ１１を、その内周の係合面１０に突出リング１９ａ、１９ｂが嵌挿するようにして段部１８に載置すると、図１に示すように、外容器Ｃに内容器Ａを装着することができる。
したがって、内容器Ａと外容器Ｃとの装着は、開閉蓋２４の開閉操作だけで、きわめて簡単にできるようになった。
【００２３】
上記実施例では、ポンプＢを装着した内容器Ａを、外容器Ｃの下方から挿入しているが、内容器Ａが自立性を有する場合には、ポンプを取着した内容器を台板上において自立させ、上方から外容器を装着するようにしてもよい。
【００２４】
内容器内の内容液を使いきったときには、ポンプ取付キャップ１１を掴んで内容器Ａを上方に持ち上げ、開閉蓋２４を開いて、内容器Ａをさらに上方に持ち上げると、外容器Ｃから簡単に取外すことができる。
【００２５】
次いで、ポンプ取付キャップ１１を内容器Ａから取外し、新しい内容器にポンプＢを付替え、再度外容器に装着して使用することができる。
使い終わった内容器は、薄肉容器であるので容易に減容でき、廃棄時には嵩張らない。
【００２６】
前記実施例では、外容器Ｃ胴壁１６の断面形状を、角部を円弧としたほぼ角形の形状とし、薄肉部２１をヒンジ２５としたが、胴壁１６の断面形状を円形、楕円形等内容器の形状に合わせて選択することができ、それに応じて胴壁の薄肉部を所定の位置にヒンジを設けたスリットとするようにしてもよく、その際は、ヒンジの形状、数は適宜設定できる。
【００２７】
また、ヒンジとして、軸受部を、胴壁、または開閉蓋の端縁部に設け、軸ピンを開閉蓋、または胴壁の端縁に設け、軸受と軸ピンとからなる蝶番式ヒンジとしてもよい。
【００２８】
前記実施例では、スリット２０ａ、２０ｂを突出リング１９ａの前後の端部から右方に直線状に突設するようにしたが、突出リング１９ａの中間部まで外周に沿って円弧状に延ばし、次いで右方に直線状に延ばして、少なくとも吐出ノズル６のノズル部が通過できるだけの巾を有するように、開閉蓋２４の頂壁２２、垂直壁２３を形成してもよい。
【実施例２】
【００２９】
次に、外容器の開閉蓋にロック機構を設けた変形実施例について説明する。
図５において、２６は、開閉蓋２４の頂壁２２に穿孔されたスライド孔、２７は、スライド孔２６に摺動自在に取着されたロック部材である。
ロック部材２７は、上面に滑り止めのための突条を設けた操作片２７ａと、操作片２７ａに垂設されスライド孔２６に摺動可能に嵌挿された軸２７ｂと、該軸２７ｂに開閉蓋２４の頂壁２２を挟んで取着されたスライド板２８とからなっている。
【００３０】
スライド孔２６は、一定の長さを有しており、その一方の端部２６ａは、頂壁２２の端縁近くまで延びている。
ロック部材２７の軸２７ｂが端部２６ａに衝接したときには、スライド板２８の一定部分が頂壁１５の下面に係合するようになっており、軸２７ｂが、スライド孔２６の反対側の端部２６ｂに衝接したときには、スライド板２８の端部は、頂壁２２の下面から離れ、開閉蓋２４が自由に開閉できるようになっている。
【００３１】
外容器と内容器との装着にあたって、ロック部材２７を操作して、外容器の頂壁１５とスライド板２８との係合を外して、開閉蓋２４を開いて挿入、装着し、その後に、ロック部材２７を摺動させ、頂壁１５とスライド板２８とを係合させ、開閉蓋２４をロックすることができる。
【００３２】
また、上記スライド式のロック部材の代わりに、上端に摘み部、下端に係止板を装着した軸体を、開閉蓋２４の頂壁２２に設けた軸孔に枢着した回動式のロック部材としてもよい。
【実施例３】
【００３３】
次に、外容器の変形実施例について説明する。
前記各実施例では、外容器に一つの嵌挿口を穿設し開閉蓋を設けているが、本実施例は、嵌挿口と開閉蓋を複数にしたものである。
【００３４】
図６に示すように、Ｃａはほぼ長方形の外容器で、頂壁３０には、二つの嵌挿口３１ａ、３１ｂが穿設され、それぞれの嵌挿口３１ａ、３１ｂの周縁には、二つの半円弧からなる突出リング３２ａ、３２ｂが配設されている。
一方の突出リング３２ａの両端部から突出リング３２ａの外側に沿って一定位置まで延び、次いで頂壁３０を切断して右方向に直線状に延びるスリット３３ａ、３３ｂが穿設され、前記実施例と同様に、開閉蓋３４が設けられている。
【００３５】
使用にあたっては、それぞれの嵌挿口３１ａ、３１ｂには、シャンプーとリンス等セットにして使用する内容液を収納した内容器のポンプ取付キャップが、前記実施形態と同様にして装着され、所望する内容液を選択して使用することができる。
【産業上の利用可能性】
【００３６】
内容器を、開閉蓋を開閉操作することによって、外容器に簡単に装着できるようになったので、ポンプ付替え容器として付替え作業が簡単になった。
また、吐出ノズルに替え、噴霧器も利用でき、さらに、内容器として、袋状のパウチ等も利用できるので、外容器としての利用範囲を広げることができる。
【００３７】
また、外容器に複数の嵌挿口を設け、シャンプー、リンス等をセットにして使用するのに最適な外容器を得ることができ、個人の浴室ばかりでなく、旅館、ホテル等の浴室にも適用できる。
【図面の簡単な説明】
【００３８】
【図１】本発明のポンプ付替え容器の一部断面立面図である。
【図２】外容器の説明図で、（ａ）は上面図、（ｂ）は開閉蓋を開いた状態の一部断面立面図である。
【図３】外容器の装着時の説明図で、開閉蓋を開き、内容器のポンプ取付キャップを嵌挿口の上方に挿通させた状態を示す断面立面図である。
【図４】開閉蓋を閉じ、ポンプ取付キャップを嵌挿口に装着する直前の状態を示す断面立面図である。
【図５】第２実施例の外容器の説明図で、（ａ）は上面図、（ｂ）は一部断面立面図である。
【図６】第３実施例の外容器の上面図である。
【符号の説明】
【００３９】
Ａ          内容器
Ｂ          ポンプ
Ｃ、Ｃａ    外容器
１          口部
２          肩部
３          胴部
４          底部
５、９      ねじ
６          吐出ノズル
７          ポンプ機構
８          吸上げパイプ
１０        係合面
１１        ポンプ取付キャップ
１５、３０  頂壁
１６        胴壁
１７、３１ａ，ｂ        嵌挿口
１８                    段部
１９ａ，ｂ、３２ａ，ｂ  突出リング
２０ａ，ｂ、３３ａ，ｂ  スリット
２１        薄肉部
２２        頂壁
２３        垂直壁
２４、３４  開閉蓋
２５        ヒンジ
２６        スライド孔
２６ａ      端部
２７        ロック部材
２７ａ      操作片
２７ｂ      軸
２８        スライド板
【図１】
2006206096.tif 000003
【図２】
2006206096.tif 000004
【図３】
2006206096.tif 000005
【図４】
2006206096.tif 000006
【図５】
2006206096.tif 000007
【図６】
2006206096.tif 000008